(57)【要約】【課題】簡単な構成によって使用後の針管を非露出状態として皮内針を保持する収容容器を提供する。【解決手段】収容容器１０は、針管１４と、針ハブ１６とを備えた皮内針１２を収容する。この収容容器１０は、初期状態で皮内針１２を収容する収容空間７４を有する器体７０と、収容空間７４に配置される係合部８０と、を有する。係合部８０は、初期状態で収容空間７４から皮内針１２を離脱可能に係合する一方で、離脱後の皮内針１２が収容空間７４に挿入された際に針ハブ１６に係合して皮内針１２の離脱を規制する使用後状態を形成する。【選択図】図３
2019154904.tif 000002
【特許請求の範囲】
【請求項１】
針管と、前記針管を保持する針ハブとを備えた皮内針を収容する収容容器であって、
初期状態で前記皮内針を収容する収容空間を有する器体と、
前記収容空間に配置される係合部と、を有し、
前記係合部は、前記初期状態で前記収容空間から前記皮内針を離脱可能に係合する一方で、離脱後の前記皮内針が前記収容空間に挿入された際に前記針ハブに係合して前記皮内針の離脱を規制する使用後状態を形成する
ことを特徴とする収容容器。
【請求項２】
請求項１記載の収容容器において、
前記係合部は、前記器体の筒壁と協働して、前記初期状態と前記使用後状態とで形状を変形することにより、前記皮内針の離脱の許容と前記皮内針の離脱の規制とを切り換える
ことを特徴とする収容容器。
【請求項３】
請求項２記載の収容容器において、
前記係合部は、前記皮内針の離脱時の移動に伴い前記器体の底壁から離れることにより、前記初期状態の形状と前記使用後状態の形状とを切り換える
ことを特徴とする収容容器。
【請求項４】
請求項１〜３のいずれか１項に記載の収容容器において、
前記係合部は、
前記初期状態で前記針ハブに引っ掛かり可能な第１引掛部と、
前記使用後状態で前記針ハブに引っ掛かり可能な第２引掛部と、
前記皮内針の離脱時に前記器体に引っ掛かり可能な第３引掛部と、を有する
ことを特徴とする収容容器。
【請求項５】
請求項４記載の収容容器において、
前記第３引掛部は、前記皮内針の離脱に伴い前記器体に設けられた保持空間に移動することで、前記使用後状態における前記係合部を位置決め固定する
ことを特徴とする収容容器。
【請求項６】
請求項５記載の収容容器において、
前記保持空間を構成する内壁には、前記第３引掛部が係止される係止突起が設けられている
ことを特徴とする収容容器。
【請求項７】
請求項５又は６記載の収容容器において、
前記保持空間を構成する内壁には、前記保持空間の奥部への前記係合部の移動をガイドするガイド壁が設けられている
ことを特徴とする収容容器。
【請求項８】
請求項４〜７のいずれか１項に記載の収容容器において、
前記係合部は、前記第１引掛部、前記第２引掛部及び前記第３引掛部を有する係合片を複数備えると共に、複数の前記係合片を連結固定する連結部を備える
ことを特徴とする収容容器。
【請求項９】
請求項８記載の収容容器において、
前記係合片は、前記第２引掛部を一端部に有すると共に、前記第３引掛部を他端部に有し、
前記連結部は、外力が加わらない状態で、複数の前記係合片を傾斜して固定することで、前記第３引掛部を前記第２引掛部よりも外側に位置させる
ことを特徴とする収容容器。
【請求項１０】
請求項８又は９記載の収容容器において、
前記器体は、前記初期状態で、前記係合片及び前記連結部の姿勢と待機位置を維持する複数のリブを有する
ことを特徴とする収容容器。
【発明の詳細な説明】
【技術分野】
【０００１】
本発明は、皮内針を収容する収容容器に関する。
【背景技術】
【０００２】
特許文献１には、針管及び針ハブを有する皮内針と、皮内針が先端部に取り付けられるシリンジと、を有する注射装置が開示されている。この注射装置の使用において、ユーザは、個別に提供された皮内針とシリンジとを組み立てた後、針管の針先を生体に穿刺し、シリンジのプランジャを押圧することで、針管を介してシリンジの薬液を生体の皮内に注入する。
【０００３】
また、特許文献１に開示の注射装置の針ハブには、針管に対し相対回転可能なプロテクタが設けられている。ユーザは、注射後に、プロテクタを回動操作することで、プロテクタにより針管を覆う。これにより、注射装置は、針管の誤刺を防止して、皮内針の廃棄を行うことが可能となる。
【先行技術文献】
【特許文献】
【０００４】
【特許文献１】国際公開第２０１６／１５８１４３号
【発明の概要】
【発明が解決しようとする課題】
【０００５】
本発明は、上記のような皮内針の取扱性の向上に関連してなされたものであり、簡単な構成によって使用後の針管を非露出状態として皮内針を保持することで、より確実な誤刺の防止及び操作の簡単化を実現する収容容器を提供することを目的とする。
【課題を解決するための手段】
【０００６】
前記の目的を達成するために、本発明は、針管と、前記針管を保持する針ハブとを備えた皮内針を収容する収容容器であって、初期状態で前記皮内針を収容する収容空間を有する器体と、前記収容空間に配置される係合部と、を有し、前記係合部は、前記初期状態で前記収容空間から前記皮内針を離脱可能に係合する一方で、離脱後の前記皮内針が前記収容空間に挿入された際に前記針ハブに係合して前記皮内針の離脱を規制する使用後状態を形成することを特徴とする。
【０００７】
また、前記係合部は、前記器体の筒壁と協働して、前記初期状態と前記使用後状態とで形状を変形することにより、前記皮内針の離脱の許容と前記皮内針の離脱の規制とを切り換えることが好ましい。
【０００８】
さらに、前記係合部は、前記皮内針の離脱時の移動に伴い前記器体の底壁から離れることにより、前記初期状態の形状と前記使用後状態の形状とを切り換えるとよい。
【０００９】
そして、前記係合部は、前記初期状態で前記針ハブに引っ掛かり可能な第１引掛部と、前記使用後状態で前記針ハブに引っ掛かり可能な第２引掛部と、前記皮内針の離脱時に前記器体に引っ掛かり可能な第３引掛部と、を有することが好ましい。
【００１０】
またさらに、前記第３引掛部は、前記皮内針の離脱に伴い前記器体に設けられた保持空間に移動することで、前記使用後状態における前記係合部を位置決め固定する構成であるとよい。
【００１１】
上記構成に加えて、前記保持空間を構成する内壁には、前記第３引掛部が係止される係止突起が設けられているとよい。
【００１２】
さらにまた、前記保持空間を構成する内壁には、前記保持空間の奥部への前記係合部の移動をガイドするガイド壁が設けられていてもよい。
【００１３】
ここで、前記係合部は、前記第１引掛部、前記第２引掛部及び前記第３引掛部を有する係合片を複数備えると共に、複数の前記係合片を連結固定する連結部を備える構成とすることができる。
【００１４】
この場合、前記係合片は、前記第２引掛部を一端部に有すると共に、前記第３引掛部を他端部に有し、前記連結部は、外力が加わらない状態で、複数の前記係合片を傾斜して固定することで、前記第３引掛部を前記第２引掛部よりも外側に位置させることが好ましい。
【００１５】
また、前記器体は、前記初期状態で、前記係合片及び前記連結部の姿勢と待機位置を維持する複数のリブを有するとよい。
【発明の効果】
【００１６】
本発明によれば、収容容器は、器体の収容空間に係合部を配置することで、離脱前と離脱後の皮内針を用途に応じて適切に収容することができる。すなわち、係合部は、初期状態で皮内針を離脱可能に係合することで収容空間から皮内針を容易に取り出させる。その一方で、係合部は、離脱後に皮内針が挿入された際に、針ハブに係合して皮内針の離脱を規制する。これにより、収容容器は、皮内針の針管を覆った状態で保持して、針管の誤刺を防止することができる。つまり、収容容器は、より確実な誤刺の防止及び操作の簡単化を実現することが可能となる。
【図面の簡単な説明】
【００１７】
【図１】本発明の一実施形態に係る収容容器と注射装置を示す説明図である。
【図２】注射装置の皮内針を示す側面断面図である。
【図３】収容容器の器体及び係合部、皮内針の収容を示す分解斜視図である。
【図４】収容容器に収容された初期状態の皮内針を示す部分側面断面図である。
【図５】図４のＶ−Ｖ線断面図である。
【図６】収容容器から皮内針を取り出す際の動作を示す部分側面断面図である。
【図７】収容容器に皮内針を挿入する際の動作を示す部分側面断面図である。
【図８】収容容器に収容された使用後状態の皮内針を示す部分側面断面図である。
【発明を実施するための形態】
【００１８】
以下、本発明について好適な実施形態を挙げ、添付の図面を参照して詳細に説明する。
【００１９】
本発明の一実施形態に係る収容容器１０は、図１に示すように、皮内針（医療用針）１２を個別に包装して製品提供する容器に構成されている。収容容器１０は、皮内針１２の使用前まで皮内針１２を密封していることで、無菌状態を形成している。
【００２０】
皮内針１２は、針管１４及び針ハブ１６を有し、注射装置１８の一部品を構成している。この皮内針１２は、使用時に、皮内針１２とは別に提供された注射装置１８のシリンジ２０に組み付けられる。注射装置１８のユーザは、皮内針１２とシリンジ２０を組み付けた後、皮内針１２の針管１４を患者に穿刺する。そして穿刺状態で、シリンジ２０のプランジャ５６を押圧することで、針管１４を介してシリンジ２０に貯留されている薬液を生体の皮内に注射する。
【００２１】
また、収容容器１０は、注射後に、使用した針管１４を非露出状態として皮内針１２を収容保持することで、針管１４の誤刺を防止しつつ、皮内針１２と一体的に廃棄される。以下、この収容容器１０について詳述するが、発明の理解の容易化のため、まず注射装置１８（皮内針１２及びシリンジ２０）の各構成について説明する。
【００２２】
図１及び図２に示すように、皮内針１２の針管１４は、軸心部に針孔１５を有する硬質な中空管に構成されている。針管１４の最先端の針先１４ａには、刃面が形成されている。針管１４の太さは、特に限定されないが、例えば、２６〜３３ゲージのサイズ（０．２〜０．４５ｍｍ）であり、より好ましくは３０〜３３ゲージを適用するとよい。針管１４を構成する材料としては、例えば、ステンレス鋼、アルミニウム、アルミニウム合金、チタン、チタン合金、その他の金属、又は硬質樹脂があげられる。
【００２３】
皮内針１２の針ハブ１６は、針管１４を固定する第１部材２２と、第１部材２２に固定され皮内針１２の使用時にシリンジ２０に組み付けられる第２部材２４と、を備える。これら第１及び第２部材２２、２４を構成する材料としては、ポリカーボネート、ポリプロピレン、ポリエチレン等の樹脂材料があげられる。また、針ハブ１６は、第２部材２４の内部に弾性部材２６を有している。
【００２４】
第１部材２２は、針管１４を直接保持する軸部２８と、軸部２８の外周面から径方向外側に拡がる拡径部３０と、拡径部３０の先端面３０ａから先端方向に突出するリング突部３２と、を有する。軸部２８は、略円柱状に形成されており、その軸心部には針管１４を収容固定する固定孔２９が設けられている。固定孔２９には、針管１４の挿入状態で接着剤３４が注入されることで、針管１４と第１部材２２の固着がなされる。
【００２５】
また、軸部２８は、第２部材２４内に収納される収納部位２８ａと、拡径部３０よりも先端側に突出する突出部位２８ｂと、を有する。収納部位２８ａの外周面には、複数の肉抜き部が形成されている。軸部２８の突出部位２８ｂは、リング突部３２よりも先端方向に僅かに突出し、生体の体表に接触する先端面２８ｂ１を有する。固定孔２９に固定された針管１４は、先端面２８ｂ１から適切な寸法（突出長）だけ突出している。例えば、針管１４の突出長は、生体の皮膚の表面から真皮層までの深さに設計され、概ね０．５〜３．０ｍｍの範囲内であるとよい。
【００２６】
拡径部３０は、軸部２８の外周面から軸部２８の軸心と直交する方向に拡がる円板に形成されている。拡径部３０は、リング突部３２よりもさらに径方向外側に延出している。拡径部３０の基端面３０ｂ（リング突部３２が設けられた先端面３０ａと反対側の面）には、第２部材２４が接合される。また、拡径部３０の外周縁には、外方に向かって一対の爪部３６が突出形成されている。一対の爪部３６は、拡径部３０の外周縁上で互いに反対位置（１８０°異なる位置）に設けられている。
【００２７】
リング突部３２は、軸部２８から所定間隔離れた位置を周回すると共に、拡径部３０の先端面３０ａから先端方向に短く突出している。皮内針１２の使用時には、ユーザの操作下に、リング突部３２の突出端全体が患者の皮膚に接触する。これにより、リング突部３２は、注射装置１８が皮膚に対して垂直になることをガイドし、針管１４の皮内への進入量を一定にする。
【００２８】
第２部材２４は、軸心部に貫通孔２５を有する略円筒状に形成されている。貫通孔２５の先端側には、第１部材２２の収納部位２８ａが挿入される一方で、貫通孔２５の中間には、弾性部材２６が収容される。貫通孔２５の基端側には、注射装置１８の組立時に、シリンジ２０のノズル４４が挿入される。貫通孔２５の基端側の内周面は、ノズル４４の外周面に面接触可能なルアーテーパ状に形成されている。
【００２９】
第２部材２４の先端には、径方向外側に拡がる接続用拡径部３８が設けられている。接続用拡径部３８の外周縁は、第１部材２２の拡径部３０の外周縁よりも内側に位置する。接続用拡径部３８の先端面３８ａは、振動溶着等の適宜の固着方法により拡径部３０の基端面３０ｂに固定される。また、第２部材２４の基端側の外周面には、シリンジ２０の雌ネジ部４７に螺合される雄ネジ部４０が設けられている。
【００３０】
すなわち、シリンジ２０の先端部４２は、薬液の貯留空間６１に連通する吐出路４５が形成されたノズル４４と、ノズル４４の周囲で雌ネジ部４７が内側に形成されたコネクタ部４６と、を有する。ノズル４４とコネクタ部４６は、別部材で構成され、コネクタ部４６がノズル４４に対し回転可能に取り付けられている。ノズル４４の先端面は、雄ネジ部４０と雌ネジ部４７の装着状態で、弾性部材２６の基端面に接触及び押圧する。
【００３１】
皮内針１２の弾性部材２６は、針管１４の基端を液密に保持して、針孔１５をノズル４４の吐出路４５に対向させる筒状の中継部材である。弾性部材２６の内部には、針管用孔部４８が設けられ、この針管用孔部４８には、挿入された針管１４を接触保持する内突部５０が形成されている。この弾性部材２６は、第２部材２４の貫通孔２５の内周面に嵌め込まれ、且つ先端側において径方向外側に突出する外方凸部５２が第１部材２２の基端面と第２部材２４の段差部２４ａに挟み込まれることで、強固に固定される。
【００３２】
一方、注射装置１８のシリンジ２０は、予め薬液が充填されたプレフィルドシリンジとして構成されている。このシリンジ２０は、シリンジ本体５４と、シリンジ本体５４内に相対移動可能に挿入されるプランジャ５６と、シリンジ本体５４の外側を覆うホルダ５８と、を有する。
【００３３】
シリンジ本体５４は、上記の先端部４２（ノズル４４及びコネクタ部４６）と、先端部４２に連なり薬液を貯留する貯留空間６１を有する胴部６０と、を備える。一方、プランジャ５６は、貯留空間６１内に液密に挿入されるガスケット６２を先端に有し、また注射装置１８のユーザが押圧操作するための操作部６４を基端に有する。なお、シリンジ２０は、プレフィルドシリンジで構成される場合に、ガスケット６２を貯留空間６１に収容して、プランジャ５６をこのガスケット６２に取り付ける構成でもよい。
【００３４】
ホルダ５８は、シリンジ本体５４を収容固定する円筒体であり、注射装置１８を太くしてユーザの把持操作を容易化するために用いられる。このため、ホルダ５８の基端には、プランジャ５６の操作部６４の押圧時にユーザの指を引っかけるための引っ掛かり部６６が設けられている。なお、注射装置１８はホルダ５８を備えていなくてもよい。
【００３５】
ホルダ５８の内部空間を構成する内壁には、シリンジ本体５４の胴部６０の先端部分を支持する複数の支持片（不図示）が設けられている。また、ホルダ５８の外周には、シリンジ本体５４の基端のフランジ（不図示）を係止する係止窓６８が設けられ、さらにホルダ５８の先端付近には、シリンジ本体５４の貯留空間６１を視認可能とする視認用窓６９が設けられている。
【００３６】
次に、注射装置１８の皮内針１２を収容する収容容器１０について説明する。
【００３７】
図１に示すように、収容容器１０は、皮内針１２を収容する器体７０と、皮内針１２の提供時に皮内針１２を収容している器体７０の収容部を閉塞するシール部材７２と、を有する。シール部材７２は、使用時に、ユーザにより一部又は全部が器体７０から剥がされることで、皮内針１２を器体７０から取り出し可能とする。
【００３８】
器体７０は、使用前の皮内針１２を収容する収容空間７４を有する円筒状に形成されている。また上述したように、器体７０の収容空間７４には、使用（離脱）後の皮内針１２が、ユーザの操作下に再収容される。これにより、器体７０は、皮内針１２の針管１４を非露出状態とし、両方をまとめて廃棄可能とする。なお、以下では、皮内針１２の使用前に収容空間７４に皮内針１２がある状態を初期状態といい、離脱後に皮内針１２が収容空間７４に再収容された状態を使用後状態という。
【００３９】
図３、図４に示すように、収容容器１０の器体７０は、収容空間７４の底部を構成する底壁７６と、底壁７６の外周縁部から器体７０の軸方向に延在して収容空間７４の側部を構成する筒壁７８と、を有する。収容空間７４の軸方向長さ（筒壁７８の延在長さ）は、皮内針１２の軸方向長さよりも長く形成されている。収容空間７４は、器体７０の軸方向の一端部（底壁７６と反対側の端部）に設けられた開口部７５に連通している。収容空間７４は、開口部７５を介して初期状態の皮内針１２を取り出し可能としている。
【００４０】
そして製品提供時には、皮内針１２と共に係合部８０が組み付けられて収容空間７４に収容される。この係合部８０は、器体７０とは別部材で構成され、器体７０の接触圧により弾性変形する弾性体８２となっている。つまり、係合部８０は、器体７０と協働して、初期状態において皮内針１２の針ハブ１６に係合しつつ、収容空間７４からの皮内針１２の離脱を許容する。その一方で、離脱後の皮内針１２が収容空間７４に挿入された際に針ハブ１６に係合して皮内針１２の離脱を規制する使用後状態を形成する。
【００４１】
具体的に、器体７０の底壁７６には、図４及び図５に示すように、複数のリブ８４が設けられている。各リブ８４は、底壁７６から開口部７５に向かって所定高さ（リング突部３２よりも長い寸法）突出すると共に、径方向に短く延在している。そして初期状態では、複数のリブ８４の内側縁８４ａに皮内針１２のリング突部３２が収容されると共に、複数のリブ８４の上縁８４ｂに皮内針１２の拡径部３０が接触支持される。
【００４２】
また、各リブ８４は、筒壁７８に対して所定間隔だけ間を開けて設けられている。各リブ８４の外側縁８４ｃと筒壁７８の内面との間は、初期状態で、弾性体８２（係合部８０）を収容する係合部用収容部８６となっている。各リブ８４は、係合部用収容部８６に収容される弾性体８２の係合片９４に対応して、底壁７６の周方向に沿って相互に等間隔で設けられている。
【００４３】
筒壁７８の内面は、使用前状態で、針ハブ１６の拡径部３０（一対の爪部３６を含む）の直径よりも若干大きな内径に形成されている。また、筒壁７８の内面において複数のリブ８４にそれぞれ対向する位置には、筒壁７８の上端７８ａから底壁７６まで延在する溝部８８が設けられている（図３も参照）。複数の溝部８８は、弾性体８２の複数の係合片９４をガイドする機能を有している。
【００４４】
溝部８８は、開口部７５側において浅溝８８ａに形成される一方で、底壁７６側（リブ８４の形成箇所付近）において浅溝８８ａから径方向外側に窪む深溝８８ｂに形成されている。深溝８８ｂは、係合部８０が配置される上記の係合部用収容部８６の一部分を構成している。また、深溝８８ｂの上部には、さらに筒壁７８が径方向外側に窪むことで保持空間９０が形成されている。
【００４５】
保持空間９０は、皮内針１２の離脱に伴い弾性体８２が移動した際に、係合片９４の頭部９４ａを収容して保持（位置決め固定）する機能を有する。この保持空間９０を構成する筒壁７８の壁面は、弾性体８２の上方への抜けを規制するガイド壁９１と、弾性体８２の頭部が引っ掛かり可能な係止突起９２と、を備える。
【００４６】
ガイド壁９１は、浅溝８８ａと深溝８８ｂ（保持空間９０）の境界である段差部分を形成し、浅溝８８ａから保持空間９０の底部に向かって延在している。また、ガイド壁９１は、保持空間９０の底部に向かって下側（底壁７６側）に徐々に幅狭となるように傾斜している。
【００４７】
係止突起９２は、保持空間９０を構成する壁面のうちガイド壁９１と対向する壁面に設けられている。係止突起９２は、保持空間９０の底部に向かって上側（開口部７５側）に傾斜し、また底部から所定間隔離れた位置において器体７０の軸方向に平行な係止面９２ａを有している。
【００４８】
一方、図３、図４及び図５に示すように、弾性体８２は、適度な弾性力を有する材料（例えば、鉄等の金属材料）により構成され、上述したように、筒壁７８と協働して初期状態及び使用後状態で皮内針１２に対して適切な形態で係合する。この弾性体８２は、複数（本実施形態では３つ）の係合片９４と、各係合片９４を連結固定する連結部９６と、を有する。
【００４９】
係合片９４は、溝部８８内に摺動自在に配置可能な幅の板バネを適宜折り曲げることで、所定の形状に形成されている。連結部９６も、適宜の幅及び厚みを有する板バネにより構成され、また平面視で筒壁７８の内周面（係合部用収容部８６）に沿って収容可能なＣ字状に形成されている。複数の係合片９４は、１つの連結部９６に固定されることで、筒壁７８の周方向に沿って等間隔（１２０°間隔）に配置されている。
【００５０】
係合片９４は、初期状態で針ハブ１６に引っ掛かり可能な第１引掛部９８と、使用後状態で針ハブ１６に引っ掛かり可能な第２引掛部１００と、皮内針１２の離脱時に器体７０に引っ掛かり可能な第３引掛部１０２と、を有する。
【００５１】
第１引掛部９８は、係合片９４の延在部分における上端部近くから弾性体８２の内側に突出する部分である。この第１引掛部９８は、初期状態で、皮内針１２の拡径部３０よりも上方において対向配置される。つまり、第１引掛部９８は、皮内針１２の上方向（離脱方向）への移動時に、拡径部３０の基端面３０ｂに係合する。
【００５２】
第２引掛部１００は、係合片９４の下端（板バネの折り返し部分）によって構成される。この第２引掛部１００は、初期状態において、連結部９６が拡張且つ縦向きに待機することで、複数のリブ８４よりも外側に配置される。その一方で、使用後状態において、連結部９６の弾性復元に伴いリブ８４よりも内側に配置されることで、皮内針１２の拡径部３０に対向する（図８も参照）。
【００５３】
第３引掛部１０２は、係合片９４の上端から折れ曲がって弾性体８２の外側且つ斜め下方に突出する部分である。すなわち、係合片９４は、相互に反対方向に突出する第１引掛部９８と第３引掛部１０２により頭部９４ａが形成されている。この第３引掛部１０２は、初期状態において、溝部８８の深溝８８ｂに配置される。その一方で、使用後状態において、連結部９６の弾性復元に伴い保持空間９０内に配置される（図８も参照）。
【００５４】
また、第３引掛部１０２の突出端は、下方向に折れ曲がる鉤部１０３に形成されている。鉤部１０３は、使用後状態において、保持空間９０の係止突起９２（係止面９２ａ）に引っ掛かることで、器体７０の所定の高さ位置で係合片９４を保持する。
【００５５】
また、連結部９６は、上述したように、周方向の所定位置に切り欠き９６ａを有するＣ字状の板バネに形成されて、係合片９４の延在部分の途中位置に面状に接合されている。連結部９６は、外力が付与されない（弾性変形していない）通常状態で、下方向に向かって小径となるテーパ形状（断面視で傾斜形状）に形成されている。つまり通常状態で、連結部９６は、係合片９４の下端部よりも係合片９４の頭部９４ａが外側に拡がるように傾斜して固定している。
【００５６】
そして、連結部９６は、初期状態で、リブ８４により径方向外側に若干拡張されて係合部用収容部８６に収容されている。特に連結部９６の下端側は、連結部９６の上端側よりも大きく拡がる。これにより、連結部９６は、図３中の傾斜形状が弾性的に抑えられて、係合部用収容部８６内において係合片９４を器体７０の軸方向に略平行に配置させる。なお、この連結部９６は、Ｃ字状に限定されるものではなく、円環状等に形成されてもよい。
【００５７】
本実施形態に係る収容容器１０は、基本的には以上のように構成され、以下その作用について説明する。
【００５８】
収容容器１０は、製品提供時に、図４及び図５に示すように、器体７０の収容空間７４に皮内針１２を収容した初期状態となっている。また、収容容器１０は、器体７０の開口部７５にシール部材７２（図１参照）がシールされることで、皮内針１２を密閉状態にしている。
【００５９】
この初期状態において、皮内針１２の針ハブ１６は、器体７０の複数のリブ８４に支持されている。つまり、リング突部３２が各リブ８４の内側縁８４ａから適度な摩擦力を受けて保持され、拡径部３０が各リブ８４の上縁８４ｂに接触していることで、皮内針１２は、器体７０の軸方向に延在する直立姿勢となっている。
【００６０】
また、弾性体８２（係合部８０）は、係合片９４及び連結部９６が複数のリブ８４の外側縁８４ｃに嵌め込まれている。この際、断面視で傾斜形状の連結部９６は、外側縁８４ｃによってその下端側が拡がることで、器体７０の軸方向に平行な板面方向となっている。このため連結部９６に接合された複数の係合片９４も、器体７０の軸方向に平行に延在して待機している。またこの状態では、係合片９４の第１引掛部９８が皮内針１２の拡径部３０の外周縁よりも内側に突き出て、拡径部３０の基端面３０ｂに対向している。
【００６１】
ユーザは、図１に示すように、注射装置１８の使用時に、開口部７５が上向きとなるように器体７０を載置し、器体７０からシール部材７２を剥がす。その後、収容空間７４にシリンジ２０の先端を挿入して、皮内針１２の基端部とシリンジ２０の先端部４２との接続を行う。ユーザは、ホルダ５８を把持操作して、先端部４２のノズル４４を第２部材２４の貫通孔２５に挿入すると共に、先端部４２の雌ネジ部４７を皮内針１２の雄ネジ部４０に捻じ込んでいく（図２も参照）。この際、皮内針１２は、一対の爪部３６が係合片９４に引っ掛かることで回転が規制され、シリンジ２０との螺合が円滑に実現される。
【００６２】
そして、皮内針１２とシリンジ２０の接続（注射装置１８の組立）が完了すると、ユーザは、シリンジ２０を収容容器１０から引き離す。これにより拡径部３０（針ハブ１６）が器体７０に対して相対的に上方向に移動する。拡径部３０は、上方向の移動時に弾性体８２の第１引掛部９８を引っ掛けて、弾性体８２を一緒に変位させる。
【００６３】
つまり、複数の係合片９４は、係合部用収容部８６から器体７０の深溝８８ｂにガイドされて上方に摺動する。そして図６に示すように、係合片９４の下端（第２引掛部１００）がリブ８４の上縁８４ｂを越えると、リブ８４の押さえがなくなり、若干拡径していた連結部９６が弾性復元する。
【００６４】
すなわち、係合片９４は、頭部９４ａが径方向外側に傾くように作用し、ちょうど深溝８８ｂの上部に形成されている保持空間９０に入り込んでいく。一方、係合片９４の第２引掛部１００は、頭部９４ａとは逆に径方向内側に傾く。またこの際、器体７０のガイド壁９１は、頭部９４ａの外側への拡開を円滑にガイドすると共に、係合片９４がガイド壁９１を越えて上方に抜けることを規制する。
【００６５】
そして、第１引掛部９８（頭部９４ａ）が外側に拡がることによって、皮内針１２の拡径部３０は、係合片９４との係合が解除される。これにより、皮内針１２が開口部７５を介して収容空間７４から良好に離脱される（取り出される）。
【００６６】
その一方で、図７に示すように、皮内針１２の離脱後の収容容器１０は、各係合片９４の頭部９４ａが保持空間９０に入り込んで、相互に離間した状態となる。これにより弾性体８２は、器体７０内で所定の高さ位置に固定される。特に、第３引掛部１０２の鉤部１０３が係止突起９２に引っ掛かることで、弾性体８２（係合片９４）は、保持空間９０への位置決め固定が強固なものとなる。
【００６７】
その後、ユーザは、皮内針１２の針管１４を生体に穿刺し、穿刺状態でプランジャ５６を押圧する。これにより、シリンジ２０の貯留空間６１に貯留されている薬液が、針管１４の針孔１５を通って皮内に注射される。
【００６８】
薬液の注射後は使用した皮内針１２の廃棄を行う。この際、ユーザは、収容容器１０の収容空間７４に皮内針１２を挿入する。つまり、注射装置１８の先端の皮内針１２を、開口部７５から挿入していく。この挿入時に、皮内針１２の拡径部３０は、第１引掛部９８に引っ掛かることなく下方向に移動して、弾性体８２の下端側で内側に突出している第２引掛部１００に至る。
【００６９】
そして、ユーザがさらに皮内針１２を押し込むことで、拡径部３０が係合片９４の下端を外側に弾性変形させる。この際、第３引掛部１０２は、保持空間９０の保持状態が継続する。これにより、皮内針１２の拡径部３０が弾性体８２を通過し、また拡径部３０の通過後に係合片９４の下端が弾性復帰する。その結果、図８に示すように、第２引掛部１００が拡径部３０の上方で対向位置に配置されて使用後状態が形成される。
【００７０】
使用後状態において、弾性体８２は、各係合片９４が底壁７６に向かって窄まるように傾斜し、且つ第２引掛部１００が拡径部３０に対向配置される。このため、皮内針１２は、弾性体８２によって離脱不能となる。
【００７１】
つまり、仮に、皮内針１２を上方向に引き上げる外力が付与されても、拡径部３０が第２引掛部１００に引っ掛かることになる。係合片９４は、第３引掛部１０２が筒壁７８に嵌っていることで、使用後状態の位置が弾性的に維持されており、下方向からの力を受けることにより第２引掛部１００を内側に積極的に寄せる。従って、皮内針１２は、器体７０により上方向に再び抜け出ること（離脱）が規制される。つまり収容容器１０は、針管１４の誤刺を一層確実に防止して、使用後の皮内針１２を良好に廃棄することができる。
【００７２】
以上のように、本実施形態に係る収容容器１０は、器体７０の収容空間７４に係合部８０を配置することで、離脱前と離脱後の皮内針１２を用途に応じて適切に収容することができる。すなわち、係合部８０は、初期状態で皮内針１２に離脱可能に係合することで収容空間７４から皮内針１２を容易に取り出させる。その一方で、係合部８０は、離脱後に皮内針１２が挿入された際に、針ハブ１６に係合して皮内針１２の再度の離脱を規制する。これにより、収容容器１０は、針管１４を覆った状態で皮内針１２を保持して、針管１４の誤刺を防止することができる。つまり、収容容器１０は、より確実な誤刺の防止と、皮内針１２を収容空間７４に戻すという簡単な操作とを実現する。
【００７３】
また、係合部８０は、筒壁７８と協働して形状が変形することで、針ハブ１６に対する係合状態を簡単に変える。よって、皮内針１２の離脱の許容と規制とを良好に切り換えることができる。
【００７４】
さらに、収容容器１０は、皮内針１２の離脱に連れて係合部８０を移動させることにより、係合部８０の形状を円滑に変形させることができる。このため、皮内針１２の離脱の許容と規制とを一層簡単に切り換えることが可能となる。
【００７５】
そして、係合部８０は、第１〜第３引掛部９８、１００、１０２を有することで、初期状態と使用後状態とで、係合部８０が針ハブ１６に引っ掛かる部位を変えることができる。これにより、皮内針１２の離脱の許容と規制とがより一層簡単に切り換えられる。
【００７６】
この場合、係合部８０は、第３引掛部１０２の保持空間９０への移動に伴い位置決め固定される。これにより、第２引掛部１００の位置も固定されて、使用後状態の第２引掛部１００による針ハブ１６の係合を強固なものとすることができる。
【００７７】
収容容器１０は、係合部８０の第３引掛部１０２と保持空間９０に存在する係止突起９２との係止によって、係合部８０をより強固に位置決め固定することができる。従って、皮内針１２の離脱の規制をより確実に行うことができる。
【００７８】
またさらに、収容容器１０は、係合部８０（係合片９４）の頭部９４ａを保持空間９０の奥部にガイドするガイド壁９１を有することで、係合部８０の位置決め固定をより円滑に行うことができる。しかも、器体７０からの係合部８０の脱落を防止することができる。
【００７９】
ここで、係合部８０は、複数の係合片９４及び連結部９６を有することで、皮内針１２に対して安定的に係合して、皮内針１２の離脱の許容と規制とを切り換えることができる。
【００８０】
上記構成に加えて、係合部８０は、第２引掛部１００及び第３引掛部１０２の位置を連結部９６によって変位可能に連結することで、より良好に器体７０及び皮内針１２に係合可能となる。特に、外力が加わらない状態で第３引掛部１０２が第２引掛部１００よりも外側に位置することにより、第２引掛部１００による皮内針１２の係合と、第３引掛部１０２による器体７０の係合とを無理のない姿勢で行うことができる。
【００８１】
収容容器１０は、複数のリブ８４によって係合片９４及び連結部９６の姿勢と待機位置を維持することで、初期状態における皮内針１２と係合部８０の係合状態を良好に構築することができる。
【００８２】
なお、本発明は、上述の実施形態に限定されず、発明の要旨に沿って種々の改変が可能である。例えば、器体７０のリブ８４の形成数は、係合片９４に一致していなくてもよく、リブ８４は初期状態で連結部９６を支持する構成でもよい。
【００８３】
またさらに、第３引掛部１０２を保持空間９０に保持する構成は、ガイド壁９１の対向位置に設けられた係止突起９２に限定されるものではない。例えば図８中の点線で示すように、ガイド壁９１に係止突起１０４を設けて、頭部９４ａの上端を引っ掛ける構成とすることもできる。
【００８４】
また例えば、係合部８０（弾性体８２）は、板バネを用いて構成されるだけでなく、弾性力を有する樹脂材料を用いて同様の形状に成形したものでもよい。さらに例えば、係合部８０は、初期状態から皮内針１２を引き出す際に、係合片９４が保持空間９０に挿入されて壁面に引っ掛かればよいため、連結部９６を備えない構成でもよい。要するに、器体７０と係合部８０が係合する構造は、種々の形状を採用してよく、特に皮内針１２の移動力に基づき係合状態を変える構造であれば、使用後状態の皮内針１２の離脱の規制をスムーズに行うことができる。なお、係合部８０は、皮内針１２の移動に追従しなくても、皮内針１２の非存在（移動後）をトリガに皮内針１２に対向するように変形又は変位することで、係合の形態を変える構造としてもよい。
【００８５】
また、シリンジ２０はプレフィルドシリンジではなく、使用直前に薬液を充填して使用するものであってもよい。
【符号の説明】
【００８６】
１０…収容容器                          １２…皮内針
１４…針管                              １６…針ハブ
１８…注射装置                          ２０…シリンジ
３２…リング突部                        ７０…器体
７４…収容空間                          ７６…底壁
７８…筒壁                              ８０…係合部
８２…弾性部材                          ８４…リブ
９０…保持空間                          ９１…ガイド壁
９２、１０４…係止突起                  ９４…係合片
９６…連結部                            ９８…第１引掛部
１００…第２引掛部                      １０２…第３引掛部
【図１】
2019154904.tif 000003
【図２】
2019154904.tif 000004
【図３】
2019154904.tif 000005
【図４】
2019154904.tif 000006
【図５】
2019154904.tif 000007
【図６】
2019154904.tif 000008
【図７】
2019154904.tif 000009
【図８】
2019154904.tif 000010